(57)【要約】  【課題】オイルフィルタの取り外し時に、オイル還流穴から垂れるオイルを所定の場所に集めて容易に回収処理できるようにする。  【解決手段】オイルフィルタ２１に隣接し、且つ、フィルタ取付ブロック２２に設けられたオイル還流穴２３の下方位置にサポートブラケット２４を設け、オイルフィルタ２１の取り外し時にオイル還流穴２３から垂れるオイルを前記サポートブラケット２４で受ける。そして、受けたオイルをアンダーカバー２６の開口３１の位置にガイドして落下させ、地面に配置した回収容器内にオイルを回収する。【選択図】図２
2006009731.tif 000002
【特許請求の範囲】
【請求項１】
エンジンのフィルタ取付ブロックに着脱自在に取り付けられたオイルフィルタであって、該オイルフィルタに隣接し、且つ、前記フィルタ取付ブロックに設けられたオイル還流穴の下方位置にサポートブラケットを設け、オイルフィルタの取り外し時にオイル還流穴から垂れるオイルを前記サポートブラケットで受けて所定位置にガイドするように構成したことを特徴とする建設機械のオイルフィルタ用油受け装置。
【請求項２】
上記サポートブラケットを旋回可能な回動機構に取り付け、該回動機構の旋回により、前記サポートブラケットを上記オイル還流穴の下方に位置するサポート位置と、オイル還流穴の下方位置から外れた非サポート位置とに切り換え可能に形成した請求項１記載の建設機械のオイルフィルタ用油受け装置。
【発明の詳細な説明】
【技術分野】
【０００１】
本発明は油圧ショベル等の建設機械のオイルフィルタ用油受け装置に関するものであり、特に、オイルフィルタの取り外し時にオイル還流穴から垂れるオイルを容易に回収処理できる建設機械のオイルフィルタ油受け装置に関するものである。
【背景技術】
【０００２】
エンジン各部を潤滑するエンジンオイルは定期的又は不定期に交換され、又、エンジンオイルを浄化するオイルフィルタも定期的又は不定期に交換される。
【０００３】
一般に、オイルフィルタを交換する場合は、機械内部で且つオイルフィルタの下方位置にオイル回収容器を配設し、交換時にこぼれ落ちるオイルをその容器で回収したり、或いはオイル回収容器を機械下方の床面（地面）に置いて回収する方法がとられている（例えば、特許文献１参照）。
【特許文献１】特開２０００−２４８９１８号公報。
【発明の開示】
【発明が解決しようとする課題】
【０００４】
しかしながら、特許文献１記載の発明で機械内部のオイルフィルタの下方位置にオイル回収容器を配設してオイルを回収する方法では、オイル還流穴から回収容器までの距離が長いため、オイルが容器まで上手く流れ落ちずに、機体フレームや機器類にこぼれて汚してしまうということがあった。従って、オイルフィルタの交換作業後に、機体フレームや機器類に付着したオイルを清掃除去する必要があり、清掃除去作業が面倒であるという問題点があった。
【０００５】
一般に、エンジンオイルの交換はエンジンが熱いうちに行われることが多い。機械内部にオイル回収容器を配設してこぼれ落ちるオイルを回収する方法では、該容器に貯まった使用済みのオイルを所定の収集場所に移すときに、オイルが熱い状態で容器を運搬すると危険を伴うので、オイルが冷めるまで容器の運搬ができない。このため、オイル交換後の待機時間が長くて作業性が悪いという問題があった。
【０００６】
そこで、オイルフィルタの取り外し時に、オイル還流穴から垂れるオイルを所定の場所に集めて容易に回収処理できるようにするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、エンジンのフィルタ取付ブロックに着脱自在に取り付けられたオイルフィルタであって、該オイルフィルタに隣接し、且つ、前記フィルタ取付ブロックに設けられたオイル還流穴の下方位置にサポートブラケットを設け、オイルフィルタの取り外し時にオイル還流穴から垂れるオイルを前記サポートブラケットで受けて所定位置にガイドするように構成した建設機械のオイルフィルタ用油受け装置を提供する。
【０００８】
この構成によれば、前記オイル還流穴から垂れたオイルは、該オイル還流穴の下方位置に設けたサポートブラケット上に一度落下し、続いてサポートブラケットの案内により、オイル回収容器等を配した所定位置に導かれて、オイル回収容器内に排出処理される。又、サポートブラケットを傾けて排出端側の位置を下げ、該排出端側がオイル回収容器に近づいた状態に配置すれば、サポートブラケットから回収容器内にオイルが落下するまでの距離を短くなる。
【０００９】
請求項２記載の発明は、上記サポートブラケットを旋回可能な回動機構に取り付け、該回動機構の旋回により、前記サポートブラケットを上記オイル還流穴の下方に位置するサポート位置と、オイル還流穴の下方位置から外れた非サポート位置とに切り換え可能に形成した建設機械のオイルフィルタ用油受け装置を提供する。
【００１０】
この構成によれば、サポートブラケットを回動させることにより、サポート位置から非サポート位置に、或いは、非サポート位置からサポート位置に切り換わる。
【発明の効果】
【００１１】
請求項１記載の発明は、オイル還流穴から垂れるオイルを、サポートブラケット上に一度落下させてサポートブラケットの案内で所定の位置に導き、これをオイル回収容器に排出させるので、オイルの回収処理が容易になる。又、サポートブラケットを傾けて排出端側がオイル回収容器に近づいた状態に下げることにより、サポートブラケットの排出端とオイル回収容器までの距離が短くなり、回収容器を地面に配置した場合でも、オイルを確実に回収容器内に落下させて、機体フレームや機器類にオイルがこぼれて付着するのを防止することができる。更に、回収容器を地面に配置すれば、回収されたオイルが冷めるまで回収容器を放置でき、適宜時間が経過後にまとめて処理することも可能となって作業性が向上する。
【００１２】
請求項２記載の発明は、サポートブラケットを使用しないときは、該サポートブラケットを作業の邪魔にならない非サポート位置に切り換え配置できるので、請求項１記載の発明の効果に加えて、更に作業性が向上する。
【発明を実施するための最良の形態】
【００１３】
以下、本発明に係る建設機械のオイルフィルタ用油受け装置について、好適な実施例をあげて説明する。オイルフィルタの取り外し時にオイル還流穴から垂れるオイルを容易に所定の場所に集めて容易に回収処理するという目的を、オイルフィルタに隣接し、且つ、フィルタ取付ブロックに設けられたオイル還流穴の下方位置にサポートブラケットを設け、オイルフィルタの取り外し時にオイル還流穴から垂れるオイルを前記サポートブラケットで受けて所定位置にガイドする構造にすることにより実現した。
【００１４】
図１は本発明のオイルフィルタ用油受け装置を適用した建設機械としての油圧ショベルの全体側面図である。油圧ショベル１０は、下部走行体１１の上に旋回機構１２を介して上部旋回体１３が回動自在に載置されている。上部旋回体１３には、その前方一側部に運転室（キャブ）１４が設けられていると共に、前方中央部にブーム１５が俯仰可能に取り付けられ、該ブーム１５の先端にアーム１６が上下回動自在に取り付けられている。又、アーム１６の先端には、バケット１７が取り付けられ、更に上部旋回体１３内の後部にはエンジン２０が配設されている。
【００１５】
図２乃至図４は、エンジン２０の周辺構造を示す図である。図２乃至図４に於いて、エンジン２０の側面には、オイルフィルタ２１が、フィルタ取付ブロック２２を介して着脱自在に取り付けられている。オイルフィルタ２１を取り付けているフィルタ取付ブロック２２には、エンジン２０内の油通路とオイルフィルタ２１内の油通路とを連通している複数のオイル還流穴２３，２３…（図３参照）が設けられている。従って、フィルタ取付ブロック２２からオイルフィルタ２１が取り外されると、エンジン２０内のオイルが前記オイル還流穴２３を通って下方へこぼれ落ちると共に、オイルフィルタ２１内のオイルも下方へこぼれ落ちることになる。
【００１６】
尚、前記オイルフィルタ２１は、地面に対して斜め、すなわちフィルタ取付ブロック２２に固定されている側が上で、反対の自由端側が下になるようにして、フィルタ取付ブロック２２から斜め下側に突出した状態で取り付けられている。又、このオイルフィルタ２１及びフィルタ取付ブロック２２の下方位置には、オイルフィルタ２１に沿うように、サポートブラケット２４が回動機構２５を介して上部旋回体１３のアンダーカバー２６上に取り付けられている。該サポートブラケット２４は上面側が下面側に向かって僅かに湾曲して樋状に作られ、この樋状の中をオイルが流れるように構成されている。
【００１７】
回動機構２５は、前記アンダーカバー２６上に固定された支軸２７と、該支軸２７を中心として回転自在な回転ブラケット２８とからなり、サポートブラケット２４がオイルフィルタ２１と略同じ傾斜角度となるように、該サポートブラケット２４をボルト２９，２９にて回転ブラケット２８に固定している。そして、該サポートブラケット２４は、支軸２７を中心として回転ブラケット２８と一体に回転し、オイル還流穴２３の下側に配置されるサポート位置と、オイル還流穴２３の下側から外れた非サポート位置とに切り換え配置できるように形成されている。尚、図２乃至図４は、サポートブラケット２４がサポート位置に配置されている状態を示している。
【００１８】
又、アンダーカバー２６には、サポートブラケット２４がサポート位置に配置されているとき、該サポートブラケット２４の下側先端部分の位置と対応するように、上下に貫通している開口３１が設けられている。その開口３１の真下は地面になっている。
【００１９】
次に、サポートブラケット２４の動作を説明する。通常は図２乃至図４に示すように、サポートブラケット２４をサポート位置に回動させておく。
【００２０】
そして、オイルフィルタ２１の交換を行う必要が生じた場合は、オイルフィルタ２１の交換に先立って、アンダーカバー２６の開口３１の下側に対応させて、図示せぬオイル回収容器を地面に配置する。
【００２１】
続いて、オイルフィルタ２１をフィルタ取付ブロック２２から取り外す。このオイルフィルタ２１の取り外しにより、エンジン２０内のオイルがオイル還流穴２３を通って下方へこぼれ落ちると共に、オイルフィルタ２１内のオイルも下方へこぼれ落ち、これ等こぼれ落ちたオイルが前記サポートブラケット２４上に落下する。サポートブラケット２４に落下したオイルは、サポートブラケット２４上を下側に向かって流れ、下側端に達するとサポートブラケット２４から落下して、アンダーカバー２６の開口３１を通って地面に置かれたオイル回収容器内に回収される。図２中に符号３０で示す二点鎖線は、オイルの落下経路を示す。
【００２２】
オイルフィルタ２１の交換が終了した後は、サポートブラケット２４上にオイルが付着していればそれを拭き取り、必要に応じて、サポートブラケット２４を非サポート位置に回転させれば作業が終了する。
【００２３】
従って、本実施の形態の構造によれば、オイル還流穴２３から垂れるオイルをサポートブラケット２４上に一度落下させ、これをサポートブラケット２４でアンダーカバー２６の開口３１の位置までガイドし、地上に配置してあるオイル回収容器に開口３１を通して落とし込めるから、オイルの回収処理が非常に楽になる。
【００２４】
又、サポートブラケット２４を傾けて排出端側の位置を下げ、該排出端側がオイル回収容器に近づいた状態にして配置すると、サポートブラケット２４の排出端とオイル回収容器までの距離が短くなり、回収容器を地面に配置した場合でも、オイルを確実に回収容器内に落下させて、機体フレームや機器類にオイルがこぼれて付着するのを防止することができる。
【００２５】
更に、回収容器を地面に配置すれば、オイルの滴下が止むまでの間、或いは、回収されたオイルが熱い場合に該オイルが冷めるまでの間、回収容器を地面に放置しておくことができ、適宜時間が経過後にまとめて処理することも可能となって作業性が向上する。又、必要に応じて、サポートブラケット２４を使用しないときは、該サポートブラケット２４を非サポート位置に配置しておくことができるので、作業の邪魔になることもない。
【００２６】
尚、本発明は、本発明の精神を逸脱しない限り種々の改変を為すことができ、そして、本発明が該改変されたものに及ぶことは当然である。
【図面の簡単な説明】
【００２７】
【図１】本発明を適用した油圧ショベルの全体側面図。
【図２】本実施の形態の要部側面図。
【図３】本実施の形態の要部上面図。
【図４】本実施の形態の要部斜視図。
【符号の説明】
【００２８】
２０    エンジン
２１    オイルフィルタ
２２    フィルタ取付ブロック
２３    オイル還流穴
２４    サポートブラケット
２５    回動機構
２６    アンダーカバー
３１    開口
【図１】
2006009731.tif 000003
【図２】
2006009731.tif 000004
【図３】
2006009731.tif 000005
【図４】
2006009731.tif 000006